(57)【要約】【課題】  本考案は窓の室内側に設置できる常夜灯の防犯ライトを作ることで、窓から侵入する侵入犯罪を防止することに役立つものである。又、カーテンと窓ガラスの間に設置しても火災を引き起こす心配がない防犯ライトを実現するものである。【解決手段】  本考案は、乳白色のアクリル等光を透過する適宜素材の表板１と、光を反射する面を装着した裏板２を装着し、スーパーＬＥＤ等高輝度な適宜ＬＥＤの光源４を内包して、本体の上部にフック５を装着した、窓の室内側に設置する防犯ライトを考案する。前述のスーパーＬＥＤ等高輝度な適宜ＬＥＤを光源に採用することにより、一晩中使用しても熱くならず、火災を引き起こす心配がない為、窓の室内側に設置できる、安全な防犯ライトを実現し、前述の課題を解決する。【選択図】  図１
0003108328.tif 000002
【実用新案登録請求の範囲】
【請求項１】
乳白色のアクリル等、光を透過する適宜素材で作った表板１と、内側の面に光を反射する面を装着した裏板２を装着し、スーパーＬＥＤ等高輝度な適宜ＬＥＤの光源４を内包した、窓の室内側に設置する防犯ライト。
【請求項２】
請求項１の窓の室内側に設置する防犯ライトの形状が、立方体や円錐形や球体等適宜形状の、請求項１の窓の室内側に設置する防犯ライト。
【請求項３】
前記防犯ライトで、側面がないか、又は透明の適宜素材で作られた側板３を装着した請求項１、請求項２の窓の室内側に設置する防犯ライト。
【請求項４】
請求項１の本体の上部に、フック５を装着した、請求項１、請求項２、請求項３の窓の室内側に設置する防犯ライト。
【考案の詳細な説明】
【技術分野】
【０００１】  本考案は、使用中に熱くならないＬＥＤを光源にすることで、カーテンと窓ガラスの間に設置しても火災を起こす心配のない、窓の室内側に設置する防犯ライトである。
【背景技術】
【０００２】  従来の防犯ライトの多くは、屋外に設置された。その為、侵入犯によって、光源を壊されたり、電源コードを切断される等すると、防犯ライトの機能を失い役に立たなくなった。又、電気器具は水や雨に弱いので感電する危険があった。さらに、人が来た時にだけ明るくなるセンサーによる人感知式防犯ライトではなく、一晩中明るくする常夜灯を設置するには、電気工事が必要な場合が多く経費が掛かり賃貸住宅には適さなかった。
【考案の開示】
【考案が解決しようとする課題】
【０００３】  侵入犯は窓から侵入する場合が多い。侵入犯は明るい光の中で姿を目撃されるのを嫌うから、光を用いた防犯器具を設置できれば、強力で効果的な防犯対策になる。窓の外側の屋外に防犯ライトを設置した場合には、上述の様な欠点があるため、窓の室内側に設置できる防犯ライトが必要であった。さらに、人が来た時にだけ明るくなる人感知式防犯ライトではない常夜灯を設置するには、カーテンと窓ガラスの間に設置しても火災を起こす心配のない防犯ライトが必要であった。従って、長時間使用しても熱くならないＬＥＤを光源にした、窓の室内側に設置する防犯ライトを実現することで、上述の欠点を解決しようとするものである。
【課題を解決するための手段】
【０００４】  本考案は、光源をスーパーＬＥＤ等高輝度な適宜ＬＥＤを用いることにより、一晩中使用しても熱くならず、カーテンと窓ガラスの間に設置しても火災を起こす心配のない、安心して使用できる防犯ライトを可能にし、防犯ライトを、窓の室内側に設置することで、上述の課題を解決する。【０００５】  本防犯ライトは、乳白色のアクリル等、光を透過する適宜素材の表板１と、光を反射する面を装着した裏板２と、側板を装着する場合は光を放射する様に透明な適宜素材で作った側板３を装着し、スーパーＬＥＤ等高輝度な適宜ＬＥＤの光源４を内包し、さらに本体の上部に、カーテンレール等に掛けられる様に取り外しのできるフック５を装着した防犯ライトである。【０００６】  本防犯ライトの形状は、前記表板１と裏板２を含む立方体や円錐形や球体等適宜形状である。又、防犯ライトの電源は、巻き取り式等のコードでコンセントに接続する形態又は電池を電源に用いて、容易に使用できる形態にする。
【考案の効果】
【０００７】  上述の様に、本考案の窓の室内側に設置する防犯ライトは、窓際を一晩中明るくすることで防犯に役立つことは勿論、熱くならない光源を使用しているので、カーテンが燃える等の火災を起こす心配がなく、室内に設置するので侵入犯に破損される心配がなくより効果的である。又、防犯ライトのスイツチの操作を室内で容易に行えるので便利であり、防犯ライトを設置する為の複雑な電気工事を必要としないので経済的である。さらに、本防犯ライトを窓の上下に複数設置すれば、より明るくなりより効果的である。又、光源にＬＥＤを使用するので、窓際を明るくして防犯に役立つだけでなく、室内での就寝を妨げるほどでない適宜な明るさにすることが可能である。
【考案を実施するための最良の形態】
【０００８】  表板１を、乳白色のアクリル等、光を透過する適宜素材で作り、裏板２の内側の面に、光を反射する面を装着する。これは裏板２を鏡面を持つ適宜素材で作れば、新たに別の素材を装着する必要はない。又、スーパーＬＥＤ等高輝度な適宜ＬＥＤの光源４を、裏板２の内側の面に適宜な数量装着する。側板を装着する場合は、側板３は透明の適宜素材で作ることで、光を四方に放射する。１、２と場合によって３を含み光源４を内包する防犯ライトの本体の形状は、立方体や円錐形や球体等適宜形状である。又、表板１を透明の適時素材で作る場合は、内側の面に凸凹を付ける等して直射光を緩和する。【０００９】  さらに、本体の上部にフック５を装着し、カーテンレール等に掛けられることを可能にする。フック５は、取り外しのできる差し込み式等にして、使用上の妨げにならない様にする。【００１０】  防犯ライトの電源は、巻き取り式等の電源コードでコンセントに接続する形態又は電池を用いる形態にする。又、光源４はＬＥＤを使用した電飾等を用いることも可能である。【００１１】  本考案の防犯ライトは、上述の様な形態であるから、カーテンが燃える等の火災の心配がなく、カーテンと窓ガラスの間に、カーテンレール等に吊る下げて設置することもできる。又、裏板の外側の面に、蝶番７を装着した本体と９０度に交わる支持板６を装着することで、収納可能な支持体を装着でき、床に置くことも可能である。
【実施例】
【００１２】  以下、添付図面に従って一実施例を説明する。本実施例は、窓の室内側に設置する防犯ライトが立方体である場合である。表板１は、乳白色のアクリル板を用いる。側板３は、透明のアクリル板を用いる。裏板２はミラー状のアクリル板を用いて、内側に鏡面が来る様に、１、２、３で立方体を形作る。裏板２の鏡面には、スーパーＬＥＤ等高輝度な適宜ＬＥＤを用いた光源４を４個装着する。裏板２は、光源の取り替え等ができる様に開閉可能にする。さらに、本体の上部に、取り外しのできる差し込み式のフック５を装着して、カーテンレール等に掛けられる様にする。【００１３】  裏板２の外側の面に円柱状の電源コードの巻き取りケース８と電源コード９を装着する。さらに、巻き取りケース８の外側に支持板６を蝶番７で装着して、床に置くこともできる様にする。【００１４】  本考案の一実施例は上述の如き構成からなるものであるから、窓からの侵入者を防いで窓全体を明るくし、カーテン等が燃えて火災を引き起こす心配がなく、侵入者に簡単に破損される心配もない、容易に設置できて、容易に操作できる、安心で経済的な窓の室内側に設置する防犯ライトを可能にした。
【図面の簡単な説明】
【００１５】
【図１】一実施例である立方体の形状をした窓の室内側に設置する防犯ライトの斜視図
【図２】一実施例である立方体の形状をした窓の室内側に設置する防犯ライトの背面図
【図３】一実施例である立方体の形状をした窓の室内側に設置する防犯ライトの側面図
【符号の説明】
【００１６】１  表板
２  裏板
３  側板
４  ＬＥＤを用いた光源
５  フック
６  支持板
７  蝶番
８  電源コードの巻き取りケース
９  電源コード
【図１】
0003108328.tif 000003
【図２】
0003108328.tif 000004
【図３】
0003108328.tif 000005